(57)【要約】【課題】  携帯電話機において、防犯機能の一環としてユーザが暴漢に襲われたときなどに、バッテリー残量に応じて、そのときの状況の証拠をなるべく残す携帯電話機を提供する。【解決手段】  本発明に係る携帯電話機は、防犯機能の作動をユーザから受け付けたら自機のバッテリー残量に応じてバッテリー残量が多い場合から順に、音声付き動画の撮影、音声無し動画の撮影、静止画の撮影、音声の録音のいずれかを行い、それらのデータを暴漢に襲われた証拠として所定の機器に送信する。【選択図】図１
2006287558.tif 000002
【特許請求の範囲】
【請求項１】
ユーザによる入力を受け付ける受付手段と、
前記受付手段で所定の入力を受け付けた後に、自機の電池の残量を検知する検知手段と、
前記検知手段で検知した電池の残量に応じて、予め定められた複数の消費電力の異なる記録方法の中から１の記録方法を決定する決定手段と、
前記決定手段で決定した記録方法でデータを自機内部の記録媒体に記録する記録手段とを備える
ことを特徴とする携帯電話機。
【請求項２】
前記携帯電話機は更に、
前記記録手段で記録したデータを予め定められた他の機器に送信する送信手段を備える
ことを特徴とする請求項１記載の携帯電話機。
【請求項３】
前記検知手段は、前記送信手段が前記データを送信した後に、自機の電池の残量を新たに検知しなおし、
前記決定手段は、前記検知手段で新たに検知した自機の電池の残量に応じて記録方法を新たに決定する
ことを特徴とする請求項２記載の携帯電話機。
【請求項４】
前記携帯電話機は更に、
前記複数の記録方法それぞれと対応付けて、各記録方法で消費される消費電力を記憶している記憶手段を備え、
前記決定手段は、前記検知手段が検知した電池残量内で実行可能な記録方法を前記記憶手段の各記録方法の消費電力を参照して決定する
ことを特徴とする請求項１記載の携帯電話機。
【請求項５】
前記携帯電話機は更に、
前記複数の記録方法それぞれに対応付けて電池残量の閾値を記憶している記憶手段を備え、
前記決定手段は、前記検知手段が検知した自機の電池残量と、前記記憶手段に記憶されている閾値を参照して記録方法を決定する
ことを特徴とする請求項３記載の携帯電話機。
【請求項６】
前記複数の記録方法は、自機の周囲の状況を反映した、音声付き動画の記録、音声無し動画の記録、静止画の記録、音声の記録のうちの少なくとも２以上である
ことを特徴とする請求項１記載の携帯電話機。
【請求項７】
前記決定手段は、前記記録手段が記録に要する電力と前記送信手段がデータの送信に要する電力とを加算した電力に応じて記録方法を決定する
ことを特徴とする請求項２記載の携帯電話機。
【請求項８】
携帯電話機においてバッテリー残量に応じて周囲の状況を反映したデータを記録する記録方法であって、
ユーザによる入力を受け付ける受付ステップと、
前記受付ステップで所定の入力を受け付けた後に、自機の電池の残量を検知する検知ステップと、
前記検知ステップで検知した電池の残量に応じて、予め定められた複数の消費電力の異なる記録方法の中から１の記録方法を決定する決定ステップと、
前記決定ステップで決定した記録方法でデータを自機内部の記録媒体に記録する記録ステップとを備える
ことを特徴とする記録方法。
【請求項９】
携帯電話機のコンピュータにバッテリー残量に応じて周囲の状況を反映したデータを記録するための処理手順を実行させる記録プログラムであって、
前記処理手順は、
ユーザによる入力を受け付ける受付ステップと、
前記受付ステップで所定の入力を受け付けた後に、前記携帯電話機の電池の残量を検知する検知ステップと、
前記検知手段で検知した電池の残量に応じて、前記携帯電話機において予め定められた複数の消費電力の異なる記録方法の中から１の記録方法を決定する決定ステップと、
前記決定手段で決定した記録方法でデータを自機内部の記録媒体に記録するように制御する記録ステップとを備える
ことを特徴とする記録プログラム。
【発明の詳細な説明】
【技術分野】
【０００１】
本発明は、携帯電話機の防犯機能に関する。
【背景技術】
【０００２】
近年の携帯電話機には電話としての機能以外にも様々な機能が付加されており、その一つに防犯機能というものがある。この防犯機能は、ユーザが暴漢に襲われたときなどに、暴漢を脅かすことと周囲の注意をユーザに向けることが目的で、所定の操作を行うと大音量のブザー音が鳴ったりする。
また、近年の携帯電話機にはカメラを搭載したものが多く、防犯の一環として例えば暴漢に襲われたときに後々の証拠の一つになればという意図から防犯機能を作動させると写真を撮ることもある。
【０００３】
特許文献１には、防犯機能を有する携帯電話機として、自機の防犯機能を動作させると証拠写真を撮って所定の場所に送信する携帯端末が開示されている。
【特許文献１】特開２００４−２８９３６４号公報
【発明の開示】
【発明が解決しようとする課題】
【０００４】
ところが、上記特許文献１の携帯端末では、バッテリー残量によっては画像を撮影できなかったり、あるいはできたとしても送信できなかったりすることがある。また、画像が一つだと、必ずしも証拠として確たる画像が獲得できることは保証できないという問題もある。
そこで、本発明においては、上記問題に鑑みて、証拠になりそうな画像などをなるべく多く取得できる携帯電話機を提供することを目的とする。
【課題を解決するための手段】
【０００５】
上記課題を解決するため、本発明に係る携帯電話機は、ユーザによる入力を受け付ける受付手段と、前記受付手段で所定の入力を受け付けた後に、自機の電池の残量を検知する検知手段と、前記検知手段で検知した電池の残量に応じて、予め定められた複数の消費電力の異なる記録方法の中から１の記録方法を決定する決定手段と、前記決定手段で決定した記録方法でデータを自機内部の記録媒体に記録する記録手段とを備えるを備えることを特徴としている。
【０００６】
ここでいう記録方法は、ユーザが暴漢に襲われたときなどに後々にその証拠となるようなデータを記録するための記録方法であって、例えば、音声付き動画の撮影であったり、静止画の撮影であったり、音声の録音であったりする。
【発明の効果】
【０００７】
上述のような構成によって、本発明に係る携帯電話機は、バッテリーの残量に応じて記録方法を変えて周囲の状況を記録できる。バッテリー残量によって記録方法を変えることで、バッテリー残量内で実行できる記録方法で周囲の状況の記録を行えるので、可能な限り証拠となるデータを取得できるようになる。
また、前記携帯電話機は更に、前記記録手段で記録したデータを予め定められた他の機器に送信する送信手段を備えることとしてよい。
【０００８】
これにより、携帯電話機は記録したデータを、所定の機器に送信できるようになる。記録したデータを他の機器に送信することで、例え自機が破壊されたとしても、送信先の機器にデータが残るので、あるいは暴漢に襲われた場合の証拠として活用することができるようになる。また、ユーザが危険な目にあっているという事実を伝達することにもなる。
また、前記検知手段は、前記送信手段が前記データを送信した後に、自機の電池の残量を新たに検知しなおし、前記決定手段は、前記検知手段で新たに検知した自機の電池の残量に応じて記録方法を新たに決定することとしてよい。
【０００９】
これにより、携帯電話機は、繰り返し証拠になるようなデータを記録し続けるので、データの数が増え、証拠としての信頼性が高まる。
また、前記携帯電話機は、更に、前記複数の記録方法それぞれと対応付けて、各記録方法で消費される消費電力を記憶している記憶手段を備え、前記決定手段は、前記検知手段が検知した電池残量内で実行可能な記録方法を前記記憶手段の各記録方法の消費電力を参照して決定することとしてよい。
【００１０】
これにより、携帯電話機は、各記録方法に対応付けて、その記録によって消費される電力を記憶しているので、電池残量に応じて記録方法を変えることができるので、確実に証拠となるデータを記録することができるようになる。
また、前記携帯電話機は、更に、前記複数の記録方法それぞれに対応付けて電池残量の閾値を記憶している記憶手段を備え、前記決定手段は、前記検知手段が検知した自機の電池残量と、前記記憶手段に記憶されている閾値を参照して記録方法を決定することとしてよい。
【００１１】
これにより、携帯電話機の電池の残量が、どの閾値内にあるかを判断して記録方法を決定することができる。予めメーカなどによって定められた閾値内にある記録方法で記録することで、確実に証拠となるデータを記録することができる。
また、前記複数の記録方法は、自機の周囲の状況を反映した、音声付き動画の記録、音声無し動画の記録、静止画の記録、音声の記録のうちの少なくとも２以上であることとしてよい。
【００１２】
これにより、携帯電話機は、音声付き動画、音声無し動画、静止画、音声のいずれかのデータを自機に残すことができるので、何らかの形で証拠を残すことができるようになる。
また、本発明に係る携帯電話機における周囲の状況を記録する記録方法は、携帯電話機においてバッテリー残量に応じて周囲の状況を反映したデータを記録する記録方法であって、ユーザによる入力を受け付ける受付ステップと、前記受付ステップで所定の入力を受け付けた後に、自機の電池の残量を検知する検知ステップと、前記検知ステップで検知した電池の残量に応じて、予め定められた複数の消費電力の異なる記録方法の中から１の記録方法を決定する決定ステップと、前記決定ステップで決定した記録方法でデータを自機内部の記録媒体に記録する記録ステップとを備えることとしてよい。
【００１３】
あるいは、本発明に係る携帯電話機における周囲の状況を記録する記録プログラムは、携帯電話機のコンピュータにバッテリー残量に応じて周囲の状況を反映したデータを記録するための処理手順を実行させる記録プログラムであって、前記処理手順は、ユーザによる入力を受け付ける受付ステップと、前記受付ステップで所定の入力を受け付けた後に、前記携帯電話機の電池の残量を検知する検知ステップと、前記検知手段で検知した電池の残量に応じて、前記携帯電話機において予め定められた複数の消費電力の異なる記録方法の中から１の記録方法を決定する決定ステップと、前記決定手段で決定した記録方法でデータを自機内部の記録媒体に記録するように制御する記録ステップとを備えることとしてよい。
【００１４】
上記方法、あるいはプログラムにより、本発明に係る携帯電話機は、自機のバッテリー残量に応じて周囲の状況を記録する方法を決定して、記録を行うことができる。
【発明を実施するための最良の形態】
【００１５】
以下、本発明に係る携帯電話機について図面を用いて説明する。
＜構成＞
図１は、本発明に係る携帯電話機１００の機能構成を示した機能ブロック図である。
図１に示すように、携帯電話機１００は、通信部１１０、アンテナ１１１、音声処理部１２０、マイク１２１、スピーカ１２２、表示部１３０、バッテリー残量検知部１４０、映像記録部１５０、カメラ１５１、計時部１６０、操作部１７０、記憶部１８０、制御部１９０を含んで構成される。
【００１６】
通信部１１０は、アンテナ１１１から受け取った受信信号を受話音声信号及び受信データ信号に復調し、復調した受話音声信号を音声処理部１２０に、受信データ信号を制御部１９０に出力する機能を有する。また、音声処理部１２０からのＡ／Ｄ変換された送話音声信号、及び制御部１９０から与えられる電子メールなどの送信データ信号を変調し、アンテナ１１１から出力する機能を有する。
【００１７】
音声処理部１２０は、通信部１１０から出力された受話音声信号をＤ／Ａ変換してスピーカ１２２に出力すると共に、マイク１２１から取得した送話音声信号をＡ／Ｄ変換し、生成した信号を通信部１１０に出力する機能を有する。
また、防犯機能の一環として制御部１９０の指示に基づき、マイク１２１を介して周囲の音声を取得して、取得した音声信号をＡ／Ｄ変換し、生成した信号を記憶部１２０に出力する機能も有する。
【００１８】
表示部１３０は、ＬＣＤ（Liquid Crystal Display）などによって実現されるモニタで、制御部１９０の指示による画像を表示する機能を有し、待受け画面やメールの文書などを表示したりする。
バッテリー残量検知部１４０は、制御部１９０の要求に応じて、自機のバッテリーの残量を検知し、その残量のパーセンテージを制御部１９０に出力する機能を有する。
【００１９】
映像記録部１５０は、カメラ１５１を含み、制御部１９０の要求に応じてカメラ１５１に電源を供給して動作させ、静止画あるいは動画を撮影し、そのデータを制御部１９０に出力する機能を有する。動画を撮影する場合には、QCIF（Quarter Common Intermediate Format）方式で、１７６＊１４４画素、毎秒３０フレームの映像を撮影する。静止画を撮影する場合には、QVGA（Quarter Video Graphics Array）方式で、２４０＊３２０画素の静止画を撮影する。
【００２０】
計時部１６０は、時刻を計時する機能を有し、また制御部１９０の要求に応じて、１０秒間の時間を計測して１０秒経過したら、そのことを制御部１９０に伝達するタイマとしての機能も有する。
操作部１７０は、テンキー、オンフックキー、オフフックキー、方向キー、決定キーなどの諸キー群を含み、ユーザの操作を受け付け、受け付けた操作内容を制御部１９０に伝達する機能を有する。また操作部１７０には、防犯キー１７１が含まれ、当該キーのユーザによる押下をもって携帯電話機１００の防犯機能が作動する。
【００２１】
記憶部１８０は、ＲＯＭ（Read Only Memory）、ＲＡＭ（Random Access Memory）を含んで構成され、小型ハードディスクや不揮発性メモリなどによって実現される。また、記憶部１８０は、防犯プログラム１８１と防犯データ領域１８２とを含む。防犯プログラム１８１は、ユーザによる防犯キー１７１の押下がなされた場合に行う携帯電話機の動作を記述したプログラムである。防犯データ領域１８２には、防犯機能の一環としてカメラで取得した動画や静止画、マイクで取得した音声を記憶する領域である。
【００２２】
制御部１９０は、携帯電話機の各部を制御する機能を有し、特に記憶部１８０にある防犯プログラム１８１を読み出して、そのプログラムに記述されている内容を実行する機能を有する。
＜動作＞
次に、本実施の形態の携帯電話機の動作について説明する。
【００２３】
まず、最初に、携帯電話機１００で証拠を残すことを目的として行う動作とバッテリー残量の対応についてわかりやすくするために図２の実行表２００を用意した。
実行表２００は、バッテリー残量２０１に対応した携帯電話機１００の動作内容２０２を示している。
同図にあるように、バッテリー残量のパーセンテージに対応して、携帯電話機１００が証拠を残すために行う動作を示している。
【００２４】
バッテリー残量が８０％以上あるなら、音声付き動画を撮影し、６０％以上８０％未満なら音声無し動画の撮影を、４０％以上なら６０％未満なら静止画の撮影を、２０％以上４０％未満なら音声を録音することになっている。音声付き動画の撮影、音声無し動画の撮影、静止画の撮影、音声の録音の順に携帯電話機１００が消費する電力が少なくなるように設定されており、各方法で生成されるデータの容量も小さくなる。各動作内容は、携帯電話機１００に残っているバッテリーで動作可能な内容になっている。
【００２５】
動作内容２０２は、上位から順に、その動作を実行することで消費される電力が低下していっており、それぞれのバッテリー残量に応じて十分に動作可能な内容になっている。
次に実際の携帯電話機１００の動作について図３〜８のフローチャートに基づいて説明する。
図３は、携帯電話機１００の防犯機能を作動させるかどうかを示したフローチャートである。
【００２６】
図３にあるように、携帯電話機１００は、操作部１７０でキー操作が行われたかどうかを検知する（ステップＳ３０１）そして、押下されたキーが防犯キー１７１であるかどうかを検知する（ステップＳ３０３）。押下されたキーが防犯キー１７１でない場合には、押下された入力に対応した所定の動作を行う（ステップＳ３０３のＮＯ）。押下されたキーが防犯キー１７１であった場合には（ステップＳ３０３のＹＥＳ）、大音量のブザーを鳴動させると共に、携帯電話機１００の制御部１９０は、記憶部１８０にある防犯プログラム１８１を読み出して起動する。そして防犯に関する処理を防犯プログラム１８１に基づいて実行する。防犯に関する処理については、図４にあるフローチャートを用いて説明する。
【００２７】
まず、制御部１９０は、防犯機能がＯＮになっているかどうかを判断する（ステップＳ４０１）。これは防犯キー１７１が押下された時点で防犯機能のフラグが「０」から「１」に設定され、これを読み出すことで判断する。なお、防犯機能はユーザによって停止させることができる。防犯機能がＯＦＦになっていたなら（ステップＳ４０１のＮＯ）、防犯に関わる全ての機能を停止させて終了する。
【００２８】
防犯機能がＯＮになっている場合には（ステップＳ４０１のＹＥＳ）制御部１９０は、バッテリー残量検知部１４０に自機のバッテリー残量のパーセンテージを検知させる。そして検知したパーセンテージを制御部１９０に出力させる。
制御部１９０は、バッテリー残量検知部１４０から出力されてきたパーセンテージが８０％以上かどうかを判断する（ステップＳ４０３）。バッテリー残量んもパーセンテージが８０％以上なら（ステップＳ４０３のＹＥＳ）、音声付き動画の記録処理を行い（ステップＳ４０５）、記録したデータをメールに添付して送信する（ステップＳ４１９）。そして、ステップＳ４０１に戻り、以降の処理を実行する。音声付き動画の記録処理の詳細については図５のフローチャートを用いて後述する。なお、メールの送信先は予めユーザによって決められており、記憶部１８０にそのアドレスが、防犯データ領域１８２内に記憶されている。
【００２９】
バッテリー残量が８０％未満ならば（ステップＳ４０３のＮＯ）、次にバッテリー残量が６０％以上あるかどうかを判断する（ステップＳ４０７）。バッテリー残量が６０％以上ならば（ステップＳ４０７のＹＥＳ）、音声無し動画の記録を行い（ステップＳ４０９）、記録したデータをメールに添付して送信する（ステップＳ４１９）。そして、ステップＳ４０１に戻り、以降の処理を実行する。音声無し動画の記録処理の詳細については図６のフローチャートを用いて後述する。
【００３０】
バッテリー残量が６０％未満ならば（ステップＳ４０７のＮＯ）、バッテリー残量が４０％以上あるかどうかを判断する（ステップＳ４１１）。バッテリー残量が４０％以上あるなら（ステップＳ４１１のＹＥＳ）、静止画の記録を行い（ステップＳ４１３）、記録したデータをメールに添付して送信する。そして、ステップＳ４０１に戻り、以降の処理を実行する。静止画の記録処理の詳細に関しては図７のフローチャートを用いて後述する。
【００３１】
バッテリー残量が４０％未満ならば（ステップＳ４１１のＮＯ）、バッテリー残量が２０％以上あるかどうかを判断する（ステップＳ４１５）。バッテリー残量が２０％以上あるなら（ステップＳ４１５のＹＥＳ）、音声の記録を行い（ステップＳ４１７）、記録したデータをメールに添付して送信する。そして、ステップＳ４０１に戻り、以降の処理を実行する。音声の記録処理の詳細に関しては図８のフローチャートを用いて後述する。
【００３２】
そしてバッテリー残量が２０％をきっていたならば（ステップＳ４１５のＮＯ）、防犯機能を停止させて終了する。
次に、図４のフローチャートにおけるステップＳ４０５の音声付き動画記録処理について図５のフローチャートを用いて説明する。
音声付き動画を記録することが決定すると、まず制御部１９０は、音声処理部１２０にマイク１２１を起動させる（ステップＳ５０１）。次に制御部１９０は、映像記録部１５０に、カメラ１５１を動画撮影モードで起動させる（ステップＳ５０３）。そして計時部１６０のタイマカウントをリセットし、カウントを１から開始させる（ステップＳ５０５）。計時部１６０がカウントを開始すると同時に、カメラ１５１に動画の撮影を開始させ、マイク１２１に録音を行わせる（ステップＳ５０７）。
【００３３】
計時部１６０でタイマが１０秒をカウントするまで（ステップＳ５０９のＮＯ）、映像記録部１５０は動画の録画を行い、音声処理部１２０は録音を行う。タイマが１０秒をカウントしたならば（ステップＳ５０９のＹＥＳ）、音声処理部１２０に録音を中止させ、映像記録部１５０に動画の記録を停止させる（ステップ５１１）。そして、音声処理部１２０にマイク１２１への電源供給を停止させ、それと同時に映像記録部１５０にカメラ１５１への電源供給を停止させて（ステップＳ５１３）終了する。
【００３４】
次に、図４のフローチャートにおけるステップＳ４０９の音声無し動画の記録処理について図６のフローチャートを用いて説明する。
音声無し動画を記録することが決定すると、まず制御部１９０は、映像記録部１５０に、カメラ１５１を動画撮影モードで起動させる（ステップＳ６０１）。そして計時部１６０のタイマカウントをリセットし、カウントを１から開始させる（ステップＳ６０３）。計時部１６０がカウントを開始すると同時に、制御部１９０は、映像記録部１５０のカメラ１５１に動画の撮影を開始させる（ステップＳ６０５）。
【００３５】
映像記録部１５０は、計時部１６０でタイマが１０秒をカウントするまで（ステップＳ６０７のＮＯ）、録画を行う。タイマが１０秒をカウントしたならば（ステップＳ６０７のＹＥＳ）、制御部１９０は、映像記録部１５０に動画の記録を停止させる（ステップS６０９）。そして、映像記録部１５０にカメラ１５１への電源供給を停止させて（ステップＳ６１１）終了する。
【００３６】
次に、図４のフローチャートにおけるステップＳ４１３の静止画記録処理について図７のフローチャートを用いて説明する。
静止画を記録することが決定すると、制御部１９０は、映像記録部１５０に、カメラ１５１を静止画撮影モードで起動させる（ステップＳ７０１）。そして計時部１６０のタイマカウントをリセットし、カウントを１から開始させる（ステップＳ７０３）。計時部１６０がカウントを開始すると同時に、カメラ１５１に静止画を１秒に１回の割合で撮影させる（ステップＳ７０５）。
【００３７】
映像記録部１５０は、計時部１６０でタイマが１０秒をカウントするまで（ステップＳ７０７のＮＯ）、静止画の撮影を行う。タイマが１０秒をカウントしたならば（ステップＳ７０７のＹＥＳ）、映像記録部１５０に静止画の記録を停止させる（ステップ７０９）。そして、音声処理部１２０にマイク１２１への電源供給を停止させ、それと同時に映像記録部１５０にカメラ１５１への電源供給を停止させて（ステップＳ７１１）終了する。
【００３８】
次に、図４のフローチャートにおけるステップＳ４１７の音声記録記録処理について図８のフローチャートを用いて説明する。
音声のみを記録することが決定すると、まず制御部１９０は、音声処理部１２０にマイク１２１を起動させる（ステップＳ８０１）。次に制御部１９０は、計時部１６０のタイマカウントをリセットし、カウントを１から開始させる（ステップＳ８０３）。計時部１６０がカウントを開始すると同時に、音声処理部１２０のマイク１２１に録音を行わせる（ステップＳ８０５）。
【００３９】
音声処理部１２０は、計時部１６０でタイマが１０秒をカウントするまで（ステップＳ８０７のＮＯ）、録音を行う。タイマが１０秒をカウントしたならば（ステップＳ８０７のＹＥＳ）、音声処理部１２０に録音を中止させる（ステップ８０９）。そして、音声処理部１２０にマイク１２１への電源供給を停止させて（ステップＳ８１１）終了する。
上述した記録行為において、音声付き動画、音声無し動画、静止画、音声の順に各データのデータサイズは減少していっており、それに伴ってメールの送信の所要時間も短くなり、消費電力も減少する。
【００４０】
上述した構成によって本発明に係る携帯電話機１００は、バッテリー残量が減るにつれ、記録内容を変えて、より長く証拠を残すための行為を継続使用とすることができる。
＜補足＞
以上、本発明に係る携帯電話機について、上記実施の形態に基づいて説明してきたが、本発明の実施の形態はこれに限るものではないことは勿論である。以下、その変形例について説明していく。
（１）上記実施の形態においては、携帯電話機の防犯機能の内容をバッテリー残量に応じて４段階に分けたが、別にこれは４段階である必要は無く、２段階以上に分かれていれば良い。
（２）上記実施の形態においては、各記録に用いる時間は１０秒としたが、別にこれは１０秒である必要は無く、消費電力が少ない方が良いのならば５秒とかにしても良い。
（３）上記実施の形態においては、バッテリー残量に応じて、記録の方法を変えていったが、これは例えば、バッテリー残量に応じて、例えば記録する静止画の画素数を落としていったりしてもよい。画素数によってもデータ量はかわり、それに伴いそのデータの送信時間が変わり、消費される電力も異なってくる。
（４）上記実施の形態においては、バッテリー残量のパーセンテージが所定パーセントを下回るごとに記録方法を変えていったが、これは例えば各記録方法に対応してその記録で消費される電力のデータを携帯電話機が記憶しており、それを判断材料に記録方法を選択することとしてもよい。
【産業上の利用可能性】
【００４１】
本発明は、防犯機能のある携帯電話機として活用することができる。
【図面の簡単な説明】
【００４２】
【図１】本発明に係る携帯電話機の機能構成を示した機能ブロック図である。
【図２】本発明に係る携帯電話機が防犯の際に行う動作をバッテリー残量ごとに示した実行表２００である。
【図３】本発明の、防犯起動の処理を示したフローチャートである。
【図４】本発明に係る携帯電話機が防犯の際に行う動作を示したフローチャートである。
【図５】音声付き動画の記録の処理について示したフローチャートである。
【図６】音声無し動画の記録の処理について示したフローチャートである。
【図７】静止画の記録の処理について示したフローチャートである。
【図８】音声の記録の処理について示したフローチャートである。
【符号の説明】
【００４３】
１００  携帯電話機
１１０  通信部
１１１  アンテナ
１２０  音声処理部
１２１  マイク
１２２  スピーカ
１３０  表示部
１４０  バッテリー残量検知部
１５０  映像記録処理部
１５１  カメラ
１６０  計時部
１７０  操作部
１７１  防犯キー
１８０  記憶部
１８１  防犯プログラム
１８２  防犯データ領域
１９０  制御部
【図１】
2006287558.tif 000003
【図２】
2006287558.tif 000004
【図３】
2006287558.tif 000005
【図４】
2006287558.tif 000006
【図５】
2006287558.tif 000007
【図６】
2006287558.tif 000008
【図７】
2006287558.tif 000009
【図８】
2006287558.tif 000010